(57)【特許請求の範囲】
【請求項１】
電子申告を受け付けるサーバとの間で、読み取り装置によって記憶媒体から読み取られた申告者固有の情報である申告者固有情報を用いて情報を送受信する画像形成装置であって、
外部記憶装置の接続をユーザに促すための画面を表示し、前記画像形成装置に接続された前記外部記憶装置に記憶されているデータの一覧を表示する入力指示部と、
前記入力指示部により表示された前記データの一覧のうち一のデータの選択が受け付けられた際、前記一のデータが電子申告用データであるか否かを確認するデータ確認部と、
前記一のデータが電子申告用データであると確認された場合、前記外部記憶装置から前記一のデータを取得するデータ取得部と、
前記一のデータが電子申告用データであると確認された場合、前記一のデータに添付するべき添付書類の原稿読取装置へのセットを促し、セットされた前記添付書類の読み取りを促すための画面を表示する読取指示部と、
前記添付書類の前記原稿読取装置へのセット後に、前記読取指示部により表示される前記添付書類の読み取りを促す画面に対する読取開始指示に応じて、前記原稿読取装置に前記添付書類の読み取りを行わせることで、前記添付書類の画像情報である添付書類情報を取得する添付書類情報取得部と、
前記データ取得部により取得された前記一のデータ、前記添付書類情報取得部により取得された前記添付書類情報、前記読み取り装置により読み取られた前記申告者固有情報を前記サーバに送信するデータ送信部と、
前記サーバに送信された前記一のデータ、前記添付書類情報、前記申告者固有情報に基づいて前記サーバにおいて実行される処理の結果に応じて前記サーバから送信される控えとなる書類の情報を取得する処理結果取得部と、
取得された前記控えとなる書類の情報に基づき、画像形成出力を実行する画像形成部に前記控えとなる書類を出力させる控え書類出力制御部と、
を有することを特徴とする画像形成装置。
【請求項２】
前記添付書類情報取得部は、前記入力指示部により表示される添付書類のセットを促す画面に対するスキップ指示に応じて、前記原稿読取装置に前記添付書類の読み取りを行わせないことを特徴とする請求項１に記載の画像形成装置。
【請求項３】
電子申告を受け付けるサーバとの間で、読み取り装置によって記憶媒体から読み取られた申告者固有の情報である申告者固有情報を用いて情報を送受信する画像形成装置の制御プログラムであって、
外部記憶装置の接続をユーザに促すための画面を表示し、前記画像形成装置に接続された前記外部記憶装置に記憶されているデータの一覧を表示するステップと、
表示された前記データの一覧のうち一のデータの選択が受け付けられた際、前記一のデータが電子申告用データであるか否かを確認するステップと、
前記一のデータが電子申告用データであると確認された場合、前記外部記憶装置から前記一のデータを取得するステップと、
前記一のデータが電子申告用データであると確認された場合、前記一のデータに添付するべき添付書類の原稿読取装置へのセットを促し、セットされた前記添付書類の読み取りを促すための画面を表示するステップと、
前記添付書類の前記原稿読取装置へのセット後に、前記添付書類の読み取りを促す画面に対する読取開始指示に応じて、前記原稿読取装置に前記添付書類の読み取りを行わせることで、前記添付書類の画像情報である添付書類情報を取得するステップと、
取得された前記一のデータ、取得された前記添付書類情報、前記読み取り装置により読み取られた前記申告者固有情報を前記サーバに送信するステップと、
前記サーバに送信された前記一のデータ、前記添付書類情報、前記申告者固有情報に基づいて前記サーバにおいて実行される処理の結果に応じて前記サーバから送信される控えとなる書類の情報を取得するステップと、
取得された前記控えとなる書類の情報に基づき、画像形成出力を実行する画像形成部に前記控えとなる書類を出力させるステップと、
を画像形成装置に実行させることを特徴とする画像形成装置の制御プログラム。
【請求項４】
電子申告を受け付けるサーバとの間で、読み取り装置によって記憶媒体から読み取られた申告者固有の情報である申告者固有情報を用いて情報を送受信する画像形成装置の制御方法であって、
外部記憶装置の接続をユーザに促すための画面を表示し、前記画像形成装置に接続された前記外部記憶装置に記憶されているデータの一覧を表示し、
表示された前記データの一覧のうち一のデータの選択が受け付けられた際、前記一のデータが電子申告用データであるか否かを確認し、
前記一のデータが電子申告用データであると確認された場合、前記外部記憶装置から前記一のデータを取得し、
前記一のデータが電子申告用データであると確認された場合、前記一のデータに添付するべき添付書類の原稿読取装置へのセットを促し、セットされた前記添付書類の読み取りを促すための画面を表示し、
前記添付書類の前記原稿読取装置へのセット後に、前記添付書類の読み取りを促す画面に対する読取開始指示に応じて、前記原稿読取装置に前記添付書類の読み取りを行わせることで、前記添付書類の画像情報である添付書類情報を取得し、
取得された前記一のデータ、取得された前記添付書類情報、前記読み取り装置により読み取られた前記申告者固有情報を前記サーバに送信し、
前記サーバに送信された前記一のデータ、前記添付書類情報、前記申告者固有情報に基づいて前記サーバにおいて実行される処理の結果に応じて前記サーバから送信される控えとなる書類の情報を取得し、
取得された前記控えとなる書類の情報に基づき、画像形成出力を実行する画像形成部に前記控えとなる書類を出力させることを特徴とする画像形成装置の制御方法。
【発明の詳細な説明】
【技術分野】
【０００１】
本発明は、画像形成装置、画像形成装置の制御方法及び画像形成装置の制御プログラムに関し、特に、画像形成装置の電子申請支援に関する。
【背景技術】
【０００２】
近年のインターネット等のコンピュータ技術の発達により、インターネットに接続されたコンピュータを使って行政機関に申請や届出を行なう電子申請が行なわれている。この電子申請の１つとして、インターネットを介して確定申告を行なう国税電子申告・納税システム、いわゆるｅ−Ｔａｘが運用されている。
【０００３】
このような国税電子申告・納税システムは、申告者が税務署に出向かなくてもオンラインによる確定申告を行うことができるとして、申告者の利便性及び確定申告の効率化を図る目的で導入されたものである。
【０００４】
上述した国税電子申告・納税システムの利用例として、国税電子申告・納税システムを利用できる専用の端末を多数配備した確定申告会場において、申告者が電子申告を行うというシステムが開示されている（例えば、特許文献１参照）。
【発明の概要】
【発明が解決しようとする課題】
【０００５】
ところで、通常、申告者が国税電子申告・納税システムを利用するには、電子申告を行うコンピュータ端末に予めＩＣカードリーダを接続させる必要があった。従って、国税電子申告・納税システムを利用して電子申告を行う場合には、申告者は個別に装置を用意する必要があり、経済的負担や余計な手間がかかってしまう。
【０００６】
さらに、コンピュータ端末に専用のアプリケーションをインストールする必要があり、コンピュータ操作に不慣れな申告者の場合には、国税電子申告・納税システムを利用する環境の構築すらできないため、税務署における従来の確定申告方法を選択する申告者も多く存在し、確定申告の効率化の面で大きな課題となっている。
【０００７】
一方、特許文献１に記載の方法においては、申告者は確定申告会場にて電子申告を行うため、申告者は個別に装置を用意する必要がなく、経済的負担や余計な手間がかからないという利点がある。また、コンピュータ操作に不慣れな申告者も、自身で国税電子申告・納税システムを利用する環境の構築をする必要がなく、確定申告の効率化に寄与している。
【０００８】
ところが、このような方法においては、申告者自身が特定の確定申告会場へ出向く必要があり、また、確定申告会場には利用時間や閉館日が設けられていることが一般的であるため、申告者にとって必ずしも使いやすいサービスではなかった。従って、確定申告の効率化の面においても、十分といえるものではなかった。
【０００９】
本発明は、このような課題を解決するためになされたものであり、国税電子申告・納税システムを利用して電子申告を行う場合において、簡易な構成で申告者の利便性を向上し、また、申告者の経済的負担及び労力を軽減させると共に、確定申告を効率化させることを目的とする。
【課題を解決するための手段】
【００１０】
上記課題を解決するために、本発明の一態様は、電子申告を受け付けるサーバとの間で、読み取り装置によって記憶媒体から読み取られた申告者固有の情報である申告者固有情報を用いて情報を送受信する画像形成装置であって、外部記憶装置の接続をユーザに促すための画面を表示し、前記画像形成装置に接続された前記外部記憶装置に記憶されているデータの一覧を表示する入力指示部と、前記入力指示部により表示された前記データの一覧のうち一のデータの選択が受け付けられた際、前記一のデータが電子申告用データであるか否かを確認するデータ確認部と、前記一のデータが電子申告用データであると確認された場合、前記外部記憶装置から前記一のデータを取得するデータ取得部と、前記一のデータが電子申告用データであると確認された場合、前記一のデータに添付するべき添付書類の原稿読取装置へのセットを促し、セットされた前記添付書類の読み取りを促すための画面を表示する読取指示部と、前記添付書類の前記原稿読取装置へのセット後に、前記読取指示部により表示される前記添付書類の読み取りを促す画面に対する読取開始指示に応じて、前記原稿読取装置に前記添付書類の読み取りを行わせることで、前記添付書類の画像情報である添付書類情報を取得する添付書類情報取得部と、前記データ取得部により取得された前記一のデータ、前記添付書類情報取得部により取得された前記添付書類情報、前記読み取り装置により読み取られた前記申告者固有情報を前記サーバに送信するデータ送信部と、前記サーバに送信された前記一のデータ、前記添付書類情報、前記申告者固有情報に基づいて前記サーバにおいて実行される処理の結果に応じて前記サーバから送信される控えとなる書類の情報を取得する処理結果取得部と、取得された前記控えとなる書類の情報に基づき、画像形成出力を実行する画像形成部に前記控えとなる書類を出力させる控え書類出力制御部と、を有することを特徴とする。
【００１１】
また、本発明の他の態様は、電子申告を受け付けるサーバとの間で、読み取り装置によって記憶媒体から読み取られた申告者固有の情報である申告者固有情報を用いて情報を送受信する画像形成装置の制御方法であって、外部記憶装置の接続をユーザに促すための画面を表示し、前記画像形成装置に接続された前記外部記憶装置に記憶されているデータの一覧を表示し、表示された前記データの一覧のうち一のデータの選択が受け付けられた際、前記一のデータが電子申告用データであるか否かを確認し、前記一のデータが電子申告用データであると確認された場合、前記外部記憶装置から前記一のデータを取得し、前記一のデータが電子申告用データであると確認された場合、前記一のデータに添付するべき添付書類の原稿読取装置へのセットを促し、セットされた前記添付書類の読み取りを促すための画面を表示し、前記添付書類の前記原稿読取装置へのセット後に、前記添付書類の読み取りを促す画面に対する読取開始指示に応じて、前記原稿読取装置に前記添付書類の読み取りを行わせることで、前記添付書類の画像情報である添付書類情報を取得し、取得された前記一のデータ、取得された前記添付書類情報、前記読み取り装置により読み取られた前記申告者固有情報を前記サーバに送信し、前記サーバに送信された前記一のデータ、前記添付書類情報、前記申告者固有情報に基づいて前記サーバにおいて実行される処理の結果に応じて前記サーバから送信される控えとなる書類の情報を取得し、取得された前記控えとなる書類の情報に基づき、画像形成出力を実行する画像形成部に前記控えとなる書類を出力させることを特徴とする。
【発明の効果】
【００１３】
本発明によれば、国税電子申告・納税システムを利用して電子申告を行う場合において、簡易な構成で申告者の利便性を向上し、また、申告者の経済的負担及び労力を軽減させると共に、確定申告を効率化させることができる。
【図面の簡単な説明】
【００１４】
【図１】本発明の実施形態に係るシステムの運用形態を示す図である。
【図２】本発明の実施形態に係る画像形成装置のハードウェア構成を模式的に示すブロック図である。
【図３】本発明の実施形態に係る画像形成装置の機能構成を示すブロック図である。
【図４】本発明の実施形態に係る電子申告の処理手順のうち、外部メディアのデータリストを画像形成装置１において表示させるまでの処理を示すシーケンス図である。
【図５】本発明の実施形態に係る電子申告の処理手順のうち、控えデータ印刷までの処理を示すシーケンス図である。
【図６】本発明の実施形態に係る画像形成装置のディスプレイパネルの表示例である。
【図７】本発明の実施形態に係る画像形成装置のディスプレイパネルの表示例である。
【図８】本発明の他の形態に係るシステムの運用形態を示す図である。
【図９】本発明の他の形態に係るシステムの運用形態を示す図である。
【発明を実施するための形態】
【００１５】
以下、図面を参照して、本発明の実施形態を詳細に説明する。本実施形態においては、国税電子申告・納税システムを利用した電子申告の例として、申告者がクライアント端末で作成した電子申告用データを基に、コンビニエンスストアなどに設置されている画像形成装置から電子申告を行うシステムを例として説明する。
【００１６】
図１は、本実施の形態に係るシステムの運用形態の例を示す図である。図１に示すように、本実施形態に係るシステムは、画像形成装置１が接続されたネットワーク４と、クライアント端末２が接続されたサービス利用者のネットワーク５、及び、電子申告管理サーバ３が接続されたネットワーク６が、インターネットや電話回線等の公衆回線７を介して接続されて構成されている。
【００１７】
画像形成装置１は、撮像機能、画像形成機能及び通信機能等を備えることにより、プリンタ、ファクシミリ、スキャナ、複写機として利用可能なＭＦＰ（ＭｕｌｔｉＦｕｎｃｔｉｏｎ  Ｐｅｒｉｐｈｅｒａｌ：複合機）であり、クライアント端末２及び電子申告管理サーバ３とは異なる場所、例えば、コンビニエンスストアなどに設置されている。
【００１８】
画像形成装置１は、入力された印刷ジョブに基づいて画像形成出力を実行する。また、本実施形態に係る画像形成装置１は、電子文書に電子署名を付加するための機能及び申告者固有の情報である電子証明書情報をＩＣカードから読み込む機能を有する。さらにまた、本実施形態に係る画像形成装置１は、ネットワークを介して電子申告を行う機能を有し、電子申告に係る必要な操作を申告者へ表示するユーザインタフェースを備える。
【００１９】
クライアント端末２は、ユーザが操作する情報処理端末であり、申告者が電子申告用データの作成を行う端末である。クライアント端末２は、ＰＣ（Ｐｅｒｓｏｎａｌ  Ｃｏｍｐｕｔｅｒ）等の情報処理装置によって実現される。
【００２０】
電子申告管理サーバ３は、公知の基幹システムである国税電子申告・納税システムのサービスを提供するサーバ又はサーバ群であり、申告者からの電子申告の受付や処理を行う。電子申告管理サーバ３は、さらに、電子申告データ作成処理部３ａ、利用者固有データ記憶部３ｂ、申告データ記憶部３ｃから構成されている。
【００２１】
電子申告データ作成処理部３ａは、クライアント端末２で電子申告用データを作成するためのプログラムを格納しており、クライアント端末２の要求に応じてそのプログラムをクライアント端末２へ送信する。また、電子申告データ作成処理部３ａは、クライアント端末２の要求に応じて電子申告用データを作成する。
【００２２】
利用者固有データ記憶部３ｂは、国税電子申告・納税システムの利用者固有情報を格納しており、利用者識別番号及び暗証番号により利用者認証処理を行い、認証結果を画像形成装置１に送信する。利用者固有情報には、住所、氏名、年齢、生年月日、職業、利用者識別番号、暗証番号などが含まれる。また、利用者固有データ記憶部３ｂは、公的個人認証サービスにより、電子申告用データの非改竄性の認証及び作成者の認証を行う。
【００２３】
申告データ記憶部３ｃは、過去に申告者が申告した確定申告に関する情報を年度毎に格納している。また、申告データ記憶部３ｃは、利用者固有データ記憶部３ｂにおける電子申告用データの認証結果に応じてその控えデータを作成し、画像形成装置１に送信する。
【００２４】
尚、図１におけるネットワーク４、５及び６は、例えばオフィスＬＡＮ（Ｌｏｃａｌ  Ａｒｅａ  Ｎｅｔｗｏｒｋ）等の限定されたネットワークであり、画像形成装置１、クライアント端末２、電子申告管理サーバ３は、夫々のＬＡＮを介して公衆回線７に接続されるが、公衆回線７に直接接続される態様とすることも可能である。
【００２５】
また、国税電子申告・納税システムを利用するためには利用者登録が必要であり、登録を行うと利用者毎に利用者識別番号が発行され、電子申告管理サーバ３に情報が格納される。利用者識別番号が発行されたら、利用者は暗証番号を入力して認証を受けることにより、国税電子申告・納税システムを利用することが可能となる。また、利用者登録を終えた利用者が再度国税電子申告・納税システムを利用するためには、再度利用者認証を行う必要がある。以下、利用者登録を終えていることを前提として説明する。
【００２６】
次に、電子申告用データの作成手順について説明する。これについては、実際に運用されている国税電子申告・納税システムを参照することができるので、詳細を省略する。また、電子申告用データの作成手順はこの限りではない。
【００２７】
まず、利用者は、電子申告管理サーバ３にて利用者認証を行う。つまり、国税電子申告・納税システムの利用者は、クライアント端末２を操作して利用者識別番号と暗証番号を入力し、クライアント端末２がその操作に従って利用者識別番号及び暗証番号をネットワークを介して電子申告管理サーバ３へ送信する。電子申告管理サーバ３は利用者識別番号に基づいて利用者を特定すると共に、暗証番号を確認して利用者認証を行う。電子申告管理サーバ３によって認証されると、利用者は国税電子申告・納税システムを利用することが可能となる。
【００２８】
次に、申告者は、電子申告管理サーバ３から電子申告用データ作成プログラムをクライアント端末２へネットワークを介してダウンロードし、インストールを行う。これによりクライアント端末２で電子申告用データを作成することができる。利用者は、クライアント端末２を操作して必要な項目等を入力して電子申告用データを作成する。作成された電子申告用データは、クライアント端末２の記憶媒体に格納され、若しくはＵＳＢメモリなどの外部記憶媒体に格納される。
【００２９】
尚、上記で説明した方法以外でも電子申告用データを作成することができる。例えば、クライアント端末２のウェブブラウザ上でユーザが入力した情報を、ネットワークを介して電子申告管理サーバ３に送信することで、電子申告管理サーバ３において電子申告用データを作成することができる。作成された電子申告用データは、電子申告管理サーバ３からクライアント端末２にダウンロードされて、クライアント端末２の記憶媒体に格納され、若しくはＵＳＢメモリなどの外部記憶媒体に格納される。次に、本実施形態において使用されるＩＣカードについて説明する。これについては、実際に運用されている公的個人認証サービスを参照することができるので、詳細を省略する。
【００３０】
本実施形態に係るＩＣカードは、公的個人認証サービスに利用されるものであり、例えば、地方公共団体が発行する住民基本台帳カードである。つまり、本実施形態に係るＩＣカードは、申告者固有の情報として、所有者の個人情報の他に、秘密鍵情報及び電子証明書情報を格納している。尚、本実施形態においては、ＩＣカードが記憶媒体となって上記した申告者固有情報を格納しているが、例えば、携帯電話端末や電子タブレット、ＵＳＢ（Ｕｎｉｖｅｒｓａｌ  Ｓｅｒｉａｌ  Ｂｕｓ）メモリなどが申告者固有情報を格納するための記憶媒体である態様としても良い。
【００３１】
電子申告管理サーバ３は、上述したＩＣカードの情報を基に電子申告用データの非改竄性の認証及び作成者の認証を行うが、その認証方法として例えば、公開鍵暗号方式が知られている。これは、電子文書の暗号化と復号化とで異なる２つの鍵（公開鍵と秘密鍵）を使用する方式で、片方の鍵で暗号化したものは、それと対になるもう一方の鍵でなければ復号化できないようになっているというものである。つまり秘密鍵は、電子文書作成者によって秘密に管理される鍵であり、公開鍵は、電子文書作成者以外に公開して利用される鍵である。
【００３２】
具体的には、本実施形態に係る画像形成装置１は、ＩＣカードに格納されている秘密鍵により電子文書を暗号化し、暗号化した電子文書と共に電子証明書情報を電子申告管理サーバ３に送信する。それらを受信した電子申告管理サーバ３は、予め公開されている公開鍵に基づいて暗号化された電子文書を復号化すると共に、その公開鍵が電子文書作成者のものであることを、受信した電子証明書の有効性を電子認証局に問い合わせることにより認証する。
【００３３】
次に、本実施形態に係る画像形成装置１、クライアント端末２のハードウェア構成について図２を参照して説明する。尚、画像形成装置１は、図２に示すハードウェア構成に加えて、スキャナ、プリンタ等を実現するためのエンジンを備える。以下の説明においては、画像形成装置１のハードウェア構成を例として説明するが、クライアント端末２についても同様である。
【００３４】
図２に示すように、本実施形態に係る画像形成装置１は、一般的なサーバやＰＣ等と同様の構成を含む。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス９０を介して接続されている。また、Ｉ／Ｆ５０にはＬＣＤ（Ｌｉｑｕｉｄ  Ｃｒｙｓｔａｌ  Ｄｉｓｐｌａｙ）６０、操作部７０及びＩＣカードリーダ８０が接続されている。
【００３５】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００３６】
Ｉ／Ｆ５０は、バス９０と各種のハードウェアやネットワーク等を接続し制御する。ＬＣＤ６０は、ユーザが画像形成装置１の状態を確認するための視覚的ユーザインタフェースである。操作部７０は、キーボードやマウス等、ユーザが画像形成装置１に情報を入力するためのユーザインタフェースである。ＩＣカードリーダ８０は、本実施形態に係る画像形成装置１が、電子証明書情報をそのＩＣカードから読み込むためのデバイスである。
【００３７】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０の制御に従って動作することにより、ソフトウェア制御部が構成される。このようにして構成されたソフトウェア制御部と、ハードウェアとの組み合わせによって、本実施形態に係る画像形成装置１、クライアント端末２の機能を実現する機能ブロックが構成される。
【００３８】
次に、本実施形態に係る画像形成装置１の機能構成について、図３を参照して説明する。図３は、本実施形態に係る画像形成装置１の機能構成を示すブロック図である。図３に示すように、本実施形態に係る画像形成装置１は、コントローラ１００、ＡＤＦ（Ａｕｔｏ  Ｄｏｃｕｍｅｎｎｔ  Ｆｅｅｄｅｒ：原稿自動搬送装置）１０１、スキャナユニット１０２、排紙トレイ１０３、ディスプレイパネル１０４、給紙テーブル１０５、プリントエンジン１０６、排紙トレイ１０７、ＩＣカードＩ／Ｆ１０８、ネットワークＩ／Ｆ１０９を有する。
【００３９】
また、コントローラ１００は、主制御部１１０、エンジン制御部１２０、画像処理部１３０、操作表示制御部１４０、入出力制御部１５０を含む。図３に示すように、本実施形態に係る画像形成装置１は、スキャナユニット１０２、プリントエンジン１０６を有する複合機として構成されている。尚、図３においては、電気的接続を実線の矢印で示しており、用紙若しくは文書束の流れを破線の矢印で示している。
【００４０】
ディスプレイパネル１０４は、画像形成装置１の状態を視覚的に表示する出力インタフェースであると共に、タッチパネルとしてユーザが画像形成装置１を直接操作し、若しくは画像形成装置１に対して情報を入力する際の入力インタフェースでもある。即ち、ディスプレイパネル１０４は、ユーザによる操作を受けるための画像を表示する機能を含む。ディスプレイパネル１０４は、図２に示すＬＣＤ６０及び操作部７０によって実現される。
【００４１】
ＩＣカードＩ／Ｆ１０８は、ユーザが画像形成装置１に対して、電子証明書情報をＩＣカードから入力する際の入力インタフェースであり、図２に示すＩＣカードリーダ８０によって実現される。
【００４２】
ネットワークＩ／Ｆ１０９は、画像形成装置１がネットワークを介してクライアント端末２、電子申告管理サーバ３や外部記憶装置等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。ネットワークＩ／Ｆ１０９は、図２に示すＩ／Ｆ５０によって実現される。
【００４３】
コントローラ１００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリ（以下、メモリ）にロードされ、ＣＰＵ１０がそのプログラムに従って動作することにより構成されるソフトウェア制御部と集積回路などのハードウェアとによってコントローラ１００が構成される。コントローラ１００は、画像形成装置１全体を制御する制御部として機能する。
【００４４】
主制御部１１０は、コントローラ１００に含まれる各部を制御する役割を担い、コントローラ１００の各部に命令を与える。エンジン制御部１２０は、プリントエンジン１０６やスキャナユニット１０２等を制御若しくは駆動する駆動手段としての役割を担う。画像処理部１３０は、主制御部１１０の制御に従い、印刷出力すべき画像情報に基づいて描画情報を生成する。この描画情報とは、画像形成部であるプリントエンジン１０６が画像形成動作において形成すべき画像を描画するための情報である。
【００４５】
また、画像処理部１３０は、スキャナユニット１０２から入力される撮像データを処理し、画像データを生成する。この画像データとは、スキャナ動作の結果物として画像形成装置１の記憶領域に格納され若しくはネットワークＩ／Ｆ１０９を介して電子申告管理サーバ３に送信される情報である。
【００４６】
操作表示制御部１４０は、ディスプレイパネル１０４に情報表示を行い若しくはディスプレイパネル１０４を介して入力された情報を主制御部１１０に通知する。入出力制御部１５０は、ネットワークＩ／Ｆ１０９を介して入力される情報を主制御部１１０に入力する。また、主制御部１１０は、入出力制御部１５０を制御し、ネットワークＩ／Ｆ１０９を介してクライアント端末２、電子申告管理サーバ３や外部記憶装置等の他の機器にアクセスする。
【００４７】
画像形成装置１がプリンタとして動作する場合は、まず、入出力制御部１５０がネットワークＩ／Ｆ１０９を介して印刷ジョブを受信する。入出力制御部１５０は、受信した印刷ジョブを主制御部１１０に転送する。主制御部１１０は、印刷ジョブを受信すると、画像処理部１３０を制御して印刷ジョブに含まれる文書情報若しくは画像情報に基づいて描画情報を生成する。
【００４８】
画像処理部１３０によって描画情報が生成されると、エンジン制御部１２０は、プリントエンジン１０６を制御し、上記生成された描画情報に基づき、給紙テーブル１０５から搬送される用紙に対して画像形成を実行させる。プリントエンジン１０６の具体的態様としては、インクジェット方式による画像形成機構や電子写真方式による画像形成機構等を用いることが可能である。プリントエンジン１０６によって画像形成が施された文書は排紙トレイ１０７に排紙される。
【００４９】
画像形成装置１がスキャナとして動作する場合は、ユーザによるディスプレイパネル１０４の操作若しくはネットワークＩ／Ｆ１０９を介してクライアント端末２等の他の端末から入力されるスキャン実行指示に応じて、操作表示制御部１４０若しくは入出力制御部１５０が主制御部１１０にスキャン実行信号を転送する。主制御部１１０は、受信したスキャン実行信号に基づき、エンジン制御部１２０を制御する。
【００５０】
エンジン制御部１２０は、ＡＤＦ１０１を駆動し、ＡＤＦ１０１にセットされた撮像対象原稿をスキャナユニット１０２に搬送する。また、エンジン制御部１２０は、スキャナユニット１０２を駆動し、ＡＤＦ１０１から搬送される原稿を撮像する。また、ＡＤＦ１０１に原稿がセットされておらず、スキャナユニット１０２に直接原稿がセットされた場合、スキャナユニット１０２は、エンジン制御部１２０の制御に従い、セットされた原稿を撮像する。
【００５１】
撮像動作においては、スキャナユニット１０２に含まれるＣＣＤ等の撮像素子が原稿を光学的に走査し、光学情報に基づいて生成された撮像情報が生成される。エンジン制御部１２０は、スキャナユニット１０２が生成した撮像情報を画像処理部１３０に転送する。画像処理部１３０は、主制御部１１０の制御に従い、エンジン制御部１２０から受信した撮像情報に基づき画像情報を生成する。
【００５２】
画像処理部１３０が生成した画像情報は主制御部１１０が取得し、主制御部１１０がＨＤＤ４０等の画像形成装置１に装着された記憶媒体に保存する。画像処理部１３０によって生成された画像情報は、ユーザの指示に応じてそのままＨＤＤ４０等に格納され若しくは入出力制御部１５０及びネットワークＩ／Ｆ１０９を介してクライアント端末２や電子申告管理サーバ３等の外部の装置に送信される。
【００５３】
このような画像形成装置１において、本実施形態に係る要旨は、画像形成装置１がネットワークを介して電子申告を行う機能を有し、電子申告に係る必要な操作を申告者へ視覚的に表示するので、申告者は個別に専用の装置を用意する必要はなく、また、その表示に従って操作するだけで簡単に電子申告を行うことができることにある。つまり、国税電子申告・納税システムを利用して電子申告を行う場合において、簡易な構成で申告者の利便性を向上し、また、申告者の経済的負担及び労力を軽減させると共に、確定申告を効率化させることができる。以下、詳細に説明する。
【００５４】
図４は、本実施形態に係る電子申告の処理手順のうち、外部メディアのデータリストを画像形成装置１において表示させるまでの処理を示すシーケンス図である。図５は、本実施形態に係る電子申告の処理手順のうち、控えデータ印刷までの処理を示すシーケンス図である。以下、図４、図５を参照して、本実施形態に係る画像形成装置１から電子申告のための申請を行い、電子申告が完了するまでの処理について説明する。
【００５５】
図４に示すように、画像形成装置１は、使用に先だってディスプレイパネル１０４に利用機能選択画面を表示しており（Ｓ４０１）、利用者は利用機能選択画面から利用したい機能を選択することにより、選択された機能が使用できるようになる。本実施形態においては、申告者は、電子申告を行うための機能を選択する（Ｓ４０２）。
【００５６】
申告者により電子申告の機能が選択されると、画像形成装置１は、国税電子申告・納税システムを利用可能にするべく、ネットワークを介して電子申告管理サーバ３と接続を開始し（Ｓ４０３）、利用者識別番号と暗証番号（以下、「利用者情報」という）を入力するよう申告者に促す画面をディスプレイパネル１０４に表示する（Ｓ４０４）。
【００５７】
申告者は、その表示に従ってディスプレイパネル１０４を操作して利用者情報を画像形成装置１に入力すると（Ｓ４０５）、主制御部１１０は、操作表示制御部１４０を制御して、ディプレイパネル１０４を介して利用者情報を取得する（Ｓ４０６）。
【００５８】
通知を受けた主制御部１１０は、入出力制御部１５０を制御し、ネットワーク１０９を介してその利用者情報を電子申告管理サーバ３に送信させると共に、申告者が国税電子申告・納税システムの登録者であるか否かの認証を電子申告管理サーバ３に行わせるための認証要求を送信する（Ｓ４０７）。
【００５９】
電子申告管理サーバ３は、受信した利用者情報を基に、格納している利用者情報を参照して利用者認証を行い（Ｓ４０８）、認証結果を画像形成装置１へ送信する（Ｓ４０９）。主制御部１１０は、入出力制御部１５０を制御してネットワーク１０９を介して認証結果を取得する（Ｓ４１０）。
【００６０】
画像形成装置１が受信した認証結果が登録者ではないという結果であれば、画像形成装置１は、再度利用者情報を入力するよう申告者に促す画面をディスプレイパネル１０４に表示する。画像形成装置１が受信した認証結果が登録者であるという結果、即ち認証ＯＫの結果であれば、画像形成装置１は、ＩＣカードをＩＣカードリーダ８０にセットするよう申告者に促す画面をディスプレイパネル１０４に表示する（Ｓ４１１）。
【００６１】
申告者はその表示に従ってＩＣカードをＩＣカードリーダ８０にセットすると（Ｓ４１２）、主制御部１１０は入出力制御部１５０を制御して、ＩＣカードＩ／Ｆ１０８を介して電子証明書情報を取得する（Ｓ４１３）。電子証明書情報を取得できない場合には、主制御部１１０は、再度ＩＣカードをセットし直すよう申告者に促す画面をディスプレイパネル１０４に表示する。
【００６２】
主制御部１１０は、電子証明書情報を取得すると、画像形成装置１に外部メディアを挿入するよう申告者に促す画面をディスプレイパネル１０４に表示する（Ｓ４１４）。即ち、Ｓ４１４の処理において、主制御部１１０は入力指示部として機能する。図６に示すように、申告者に対して視覚的にわかりやすい表示を行う。図６は、本実施形態に係る画像形成装置１のディスプレイパネル１０４の表示例である。
【００６３】
申告者はその表示に従って外部メディアを挿入すると、画像形成装置１は、保存データを読み込み（Ｓ４１６）、保存されているデータのリスト画面をディスプレイパネル１０４に表示する（Ｓ４１７）。
【００６４】
次に、図５に示すように、申告者がディスプレイパネル１０４を操作してリストからデータを選択すると（Ｓ５０１）、主制御部１１０は、そのデータが電子申告用データのデータ形式か否かを確認する（Ｓ５０２）。即ち、Ｓ５０２の処理においては、主制御部１１０は、データ確認部として機能する。
【００６５】
確認の結果、データ形式が電子申告用データの形式ではない場合には、画像形成装置１は、再度リスト画面から選択し直すよう申告者に促す画面をディスプレイパネル１０４に表示する。確認の結果、データ形式が電子申告用データの形式である場合には、主制御部１１０は入出力制御部１５０を制御して、ネットワークＩ／Ｆ１０９を介して申告者がリスト画面から選択した電子申告用データを外部メディアから取得する（Ｓ５０３）。即ち、Ｓ５０３の処理においては、主制御部１１０は、データ取得部として機能する。
【００６６】
主制御部１１０は、電子申告用データを取得すると、確定申告に必要な添付書類をセットしてスキャンするよう申告者に促す画面をディスプレイパネル１０４に表示する（Ｓ５０４）。即ち、Ｓ５０４の処理において、主制御部１１０は読取指示部として機能する。図７に示すように申告者に対して視覚的にわかりやすい表示を行う。図７は、本実施形態に係る画像形成装置１のディスプレイパネル１０４の表示例である。
【００６７】
申告者はその表示に従って添付書類をセットして（Ｓ５０５）、ディスプレイパネル１０４においてスキャン開始操作をすると（Ｓ５０６）、画像形成装置１はスキャンを実行し（Ｓ５０７）、主制御部１１０は添付書類情報を取得する（Ｓ５０８）。即ち、Ｓ５０８の処理において、主制御部１１０は添付書類情報取得部として機能する。
【００６８】
主制御部１１０は、添付書類情報を取得すると、これまでに取得した電子申告用データ及び添付書類情報に電子署名を付加するよう申告者に促す画面をディスプレイパネル１０４に表示する（Ｓ５０９）。申告者はその表示に従って電子署名操作をすると（Ｓ５１０）、
主制御部１１０は、取得された電子申告用データ及び添付書類情報に電子署名を付加する（Ｓ５１１）。即ち、Ｓ５１１の処理においては、主制御部１１０は電子署名付加部として機能する。
【００６９】
画像形成装置１は、電子署名を付加すると、電子申告管理サーバ３へ電子申告用データ及び添付書類情報を送信するよう申告者に促す画面をディスプレイパネル１０４に表示する（Ｓ５１２）。申告者は、ディスプレイパネル１０４を操作して送信操作をすると（Ｓ５１３）、主制御部１１０は、入出力制御部１５０及びネットワークＩ／Ｆ１０９を介して、電子署名を付加した電子申告用データ及び添付書類情報にＳ４１３で取得した電子証明書情報を添付して電子申告管理サーバ３へ送信する（Ｓ５１４）。即ち、Ｓ５１４の処理においては、主制御部１１０は、データ送信部として機能する。
【００７０】
電子申告用データ、添付書類情報及び電子証明書データを受信した電子申告管理サーバ３は、受信した電子申告用データと添付書類情報が改竄されていないこと及びそれらの作成者の認証を行う（Ｓ５１５）。電子申告管理サーバ３は、認証を終えると、確定申告の受付処理を実行し（Ｓ５１６）、受付処理が終了すると、申告者が保管するべき控えデータを作成し（Ｓ５１７）、その控えデータ及びＳ５１５における認証結果を画像形成装置１へ送信する（Ｓ５１８）。
【００７１】
送信された控えデータは、ネットワークＩ／Ｆ１０９を介して入出力制御部１５０に取得され、入出力制御部１５０は、控えデータを主制御部１１０に転送する。控えデータを取得した主制御部１１０は、画像処理部１３０を制御して控えデータに含まれる文書情報若しくは画像情報に基づいて描画情報を生成し、エンジン制御部１２０は、プリントエンジン１０６を制御し、画像処理部１３０で生成された描画情報に基づき、給紙テーブル１０５から搬送される用紙に対して画像形成を実行させる（Ｓ５１９）。即ち、Ｓ５１９の処理においては、プリントエンジン１０６は画像形成部として機能し、主制御部１１０は、処理結果取得部として機能し、エンジン制御部１２０は控え書類出力制御部として機能する。
【００７２】
以上、説明したように、本実施形態に係る画像形成装置１は、ネットワークを介して電子申告を行う機能を有し、電子申告に係る必要な操作を申告者へ視覚的に表示するので、申告者は個別に専用の装置を用意する必要はなく、また、その表示に従って操作するだけで簡単に電子申告を行うことができる。
【００７３】
尚、本実施の形態においては、クライアント端末２で作成された電子申告用データは、クライアント端末２の記憶媒体に格納され、若しくはＵＳＢメモリなどの外部記憶媒体に格納される場合を例として説明したが、図８に示すように、クライアント端末２で作成された電子申告用データは、ネットワーク９に接続されたデータ管理サーバ８に格納されるような構成としても良い。このような構成にすることにより、申告者は電子申告用データを自らが持ち運ぶ必要がなくなる。尚、図８におけるネットワーク９は、例えばオフィスＬＡＮ等の限定されたネットワークであり、データ管理サーバ８は、ＬＡＮを介して公衆回線７に接続されるが、公衆回線７に直接接続される態様とすることも可能である。
【００７４】
図８に示す例においては、ネットワークを介してデータ管理サーバ８に電子申告用データを格納するためには、国税電子申告・納税システムと同様に申告者は予め利用者登録を行う。また、本実施形態に係る画像形成装置１で電子申告を行う際には、データ管理サーバ８は、電子申告管理サーバ３と同様に利用者認証を行い、画像形成装置１に電子申告用データを送信する。
【００７５】
尚、図８に示す例においては、主制御部１１０は入出力制御部１５０を制御して、ネットワークＩ／Ｆ１０９を介して電子申告用データをデータ管理サーバ８から取得する。即ち、このとき、主制御部１１０はデータ取得部として機能する。
【００７６】
また、図９に示すように、電子申告管理サーバ３は、上記で説明したデータ管理サーバ８の機能を有する構成としても良い。
【符号の説明】
【００７７】
１  画像形成装置
２  クライアント端末
３  電子申告管理サーバ
３ａ  電子申告データ作成処理部
３ｂ  利用者固有データ記憶部
３ｃ  申告データ記憶部
４  ネットワーク
５  ネットワーク
６  ネットワーク
７  公衆回線
８  データ管理サーバ
９  ネットワーク
１０  ＣＰＵ
２０  ＲＡＭ
３０  ＲＯＭ
４０  ＨＤＤ
５０  Ｉ／Ｆ
６０  ＬＣＤ
７０  操作部
８０  ＩＣカードリーダ
９０  バス
１００  コントローラ
１０１  ＡＤＦ
１０２  スキャナユニット
１０３  排紙トレイ
１０４  ディスプレイパネル
１０５  給紙テーブル
１０６  プリントエンジン
１０７  排紙トレイ
１０８  ＩＣカードＩ／Ｆ
１０９  ネットワークＩ／Ｆ
１１０  主制御部
１２０  エンジン制御部
１３０  画像処理部
１４０  操作表示制御部
１５０  入出力制御部
【先行技術文献】
【特許文献】
【００７８】
【特許文献１】特開２０１０−１０８１０１号公報
【図１】
0005760840.tif 000002
【図２】
0005760840.tif 000003
【図３】
0005760840.tif 000004
【図４】
0005760840.tif 000005
【図５】
0005760840.tif 000006
【図６】
0005760840.tif 000007
【図７】
0005760840.tif 000008
【図８】
0005760840.tif 000009
【図９】
0005760840.tif 000010